(57)【要約】【課題】  雑木や雑草を選択的に枯らすため、それらの幹や枝を切断して切断面に浸透移行性をもつ枯殺剤を塗る。果樹や街路樹の樹幹等に入った害虫、雑菌等を駆除、防除するために、浸透移行性の防虫剤、殺菌剤を枝等の切断面に塗る。果実、野菜の無種子化、実稔化等を促進するため、その処理剤を処理対象植物の切り口に塗る。これらを簡便な利器で行う。【解決手段】  処理対象植物の幹や枝に切り込み、その際に鋏の切刃側面から浸透移行性を持つ茎葉処理型枯殺剤や殺虫剤、栄養剤、無種子化剤、実稔化剤等の処理剤等を切断等面に向けて吐出し、被切断等物の切断等面組織に押し着け、擦り着け、付着させて処理する。【選択図】図２
2007029103.tif 000002
【特許請求の範囲】
【請求項１】
切刃の内部から薬剤等を吐き出すことを特徴とする鋏において、切刃側面や切刃側面に設ける液溜りの底面の形状を凹凸状にした鋏。
【発明の詳細な説明】
【技術分野】
【０００１】
本発明は鋏での切開、切断作用等を利用してもう一つの新しい目的を実現させるものである。
【背景技術】
【０００２】
温暖な地域、肥沃な地域での植物の成長は実に旺盛である。庭であれ家屋周辺の空き地であれ、実にいろいろの種類の樹木、植物が芽を出してくる。おそらくそれは鳥が食して運んできた実や周囲の木から落ちたり風が運んできたりした種子が発芽したものである。
【０００３】
気付かないうちに公園や庭の片隅、低木群の株の中、垣根、街路の植栽等の中にこっそりと芽を出している。通常このような雑木や雑草はある程度の大きさにならないと我々の目には止まらない。気付いたときにはかなり根が深くなっており、それを引き抜こうとすると意外に強く、樹径がまだ細いこともあって根が引き抜かれるまえに幹の途中から切れたり、樹皮だけが引き剥かれることになる。そして翌年も根元等から新しい芽や葉を出して伸びてくる。
葛なども同様で雑草の中で蔓を延ばしている間は気付かず、周囲の雑草の中で葉が目立つようになったときには大抵かなり茎も太く根も深く下している。
【０００４】
このような場合はスコップ等で根元から掘り起こすのが通常の手段であるが、大切な庭、植栽、垣根、低木群の中では出来ることではない。また、根が深くなっていたり広く張っている場合は、掘り起こすのは大変な作業になる。
【０００５】
そこでもう一つの方法として、浸透移行性を持つ茎葉処理型枯殺剤を茎や枝や樹幹の新鮮な切り口に塗って枯らすことも可能である。グリホサート・アンモニウム塩の溶液は植物体内を移行し、植物の成長に必要な芳香族アミノ酸をつくるのに必要なＥＰＳＰＳという酵素の働きを阻害してその植物を枯らしてしまう。ちなみに、樹径が５０ミリメートル以下の雑かん木の場合なら３月から１０月の間に１から２ミリリットルの４１パーセント溶液を維管束部より深い中芯部に注入すればよい。
【発明の開示】
【発明が解決しようとする課題】
【０００６】
ところが、この方法は煩雑である。作業のための移動中はナイフや鉈、処理剤液の入った容器、刷毛等を常に持ち歩かねばならず、容器を置いてナイフ等で樹幹を傷付け、今度はナイフ等を置いて容器の蓋を空けて刷毛等で処理剤液を切り口に塗る。大変煩わしく効率的でないことが問題点である。高い所へ登っての作業は尚更のことである。
【０００７】
薬液を塗る鋏が提案されているが、本来切り込んでいくべき刃の側面部に薬液供給用のチューブが接続されていたり、長いチューブが必要だったり、作業をしている高さよりも常に高い位置に薬液タンクを保持している必要があったりと現実的には使用不可能である。
また、切刃の裏面に溝を掘り薬液を伝わせて切断面に塗る方法も提案されているが、これでは薬液が何処へ行ったか分からない、切断面に確実に均一に充分に塗布することは出来ない。
【特許文献１】実開昭５６−１５３１６０
【０００８】
さらに、処理対象植物の樹径が小さい場合は断面積が小さ過ぎて所要の量を塗ることが出来ないこともある。
また、樹種によっては切り口に出てくる樹液で処理剤が薄められて効果が弱まることもある。
さらに、塗った処理剤等の植物体内への浸透には時間を要するためできれば１日程度、最低でも３から６時間程は切り口に付着させておく必要があるが、予想しない雨に会ったりすると流されてしまい効果が出ない。
そこで膠着性、粘性の高い処理剤を塗布する必要があるが、そのような処理剤を扱える鋏はない。
【特許文献２】実開平０２−７３９３６
【特許文献３】実開平０３−３１８３０
【０００９】
そこであまり天候のことなど気にせず、庭や公園の植裁等の手入れをしながら、要らないと思う庭木や偶然に発見した雑木、雑草等を携帯性のよい鋏一つで簡単に確実に枯殺処理するための方法とその鋏を提案する。
【課題を解決するための手段】
【００１０】
先ず、処理剤は膠着性を高め、切断面等に厚く塗れるようにするため粘度を高くすることが望ましい。あるいはコロイド状またはゲル状に加工して使用するのも一つの方法である。
また、処理剤は確実に切断面に塗布する必要がある。そこで、極力切断面の植物組織の深部まで入り込むように処理剤を押し込むことが望ましい。
【００１１】
通常の剪定用鋏は図１のように切刃１と受刃２が相対している。受刃２は枝など被切断物６の先端側、切刃１は根元側にして使用する。そして主に受刃２は切ろうとする枝を下から受け止め、切刃１はその受刃２によって保持されている枝に上から切り込むことになる。刃支点ピン５を支点とした握手部での握りの作用で、切刃１が被切断物６の中に入り込む。
【００１２】
そこで、切刃構成部材の内部に図３のように柄の方からあるいは刃のミネの部分から切刃側面に通じる穴すなわち径路７を設ける。
そして処理剤等を圧力をかけて供給することを提案する。処理剤等を入れた容器を作業員のベルト等に保持して、その容器から一定長のチューブ等で処理剤等を掌中の鋏に圧送することも提案できる。一定長で短く、しかも掌中の柄の部分に接続しているので作業を不都合なく行うことが出来る。
【００１３】
切り込みながら供給口Ｅから粘性体等の処理剤等を供給することで、図１、図２のように切刃１の切刃側面表側、裏側の吐出し口Ｈから有用な処理剤等を切断面等に向けて吐き出させて、その処理剤を被切断物６の切断面に直接塗ることが出来る。
図４のように被切断物６の切断面Pと切刃１の切刃側面の間に処理剤等８が供給されるので、切刃１が被切断物６の内部を切断面Pに密着しながら切り進む間に切刃１の切刃側面によって処理剤等８が同時併行で切断面Ｐに確実に擦り着けられることになる。
【００１４】
径路末端の吐出し口Ｈの位置については刃中部の刃線に近い位置に設ける。
【００１５】
次に図1のように、切刃側面の径路末端吐出し口Ｈのところに窪みを設け液溜り９とする。処理剤等をここに必要な量送り込んで貯め、切断面に充分にかつ広く塗布することができる利点がある。
【００１６】
また、切刃側面やこの液溜り９の底面Ｓに溝をつけたり断面形状を図４のように波状にするなど凹凸を付けることを提案する。切刃１が図の矢印のように被切断物６に分け入るように入り込むので、逆に被切断物６の切断面Ｐは切刃側面や液溜り９の底面Ｓを押さえようとすることになり、切刃側面や液溜り９の底面に凹凸をつけておけば結果として処理剤等８が切断面Ｐに確実に擦り着けられる効果が出る。
【００１７】
さらに握手部にピストン等の往復運動を利用したポンプを付設し、ピストンを押したり引いたりする往復運動を鋏の握手部での握りと戻しの動作に直結させることを提案する。
【００１８】
ポンプ等によって圧力をかけられて液溜り９に送られた処理剤等８は、切刃側面と切断等面Ｐが密着している状態では内圧が生じているため処理剤等８が切断等面Ｐの組織の深部まで押し付けられるとともに、押し出された処理剤等８は刃の側面と切断面Ｐとの間で広く拡散して塗布面積が拡大する効果がある。これらは処理剤の粘性が高い方が内圧が生じやすくなることから顕著である。
【発明の効果】
【００１９】
本発明の鋏のみで切断や切開あるいは切り込みながら処理剤等有用な物質の塗布も同時に行えることは作業全体の効率をよくする。また本発明の鋏は携帯性がよいため高所、狭いところでの作業の場合はその利点は更なるものがある。
【００２０】
さらに液体やゼリー状、プリン状、ワックス状、軟膏状等いろいろな態様の流動体や半固体を新鮮なまま新鮮な切り口に向けて吐き出し、切り口の組織に直接的に圧入したり厚く塗り着けることが可能となり、薬効を安定的に充分に効かすことが可能となる。
【００２１】
また、径路が切断面の真下まで通じているので、送り込んだ処理剤は確実に切断面に塗布される。
【００２２】
さらに、機構的にも一連の動作作用が連結しており、一つの動作で全ての作用がタイミングよく行われるため、余り注意を集中しなくとも良い。握り始めると、小刃部分で切り込みが始まり、少し切り込みが進んだところで一定量の処理剤が送られてきて切刃側面がそれを切断等面に擦りつける。握り終わると切断等が完了しその切断面に所定の量の塗布が完了して作業が終了する。
【発明を実施するための最良の形態】
【００２３】
本提案の例として右利きの人の一般的剪定鋏を例にして説明する。通常右手に鋏を持ち左手で切断しようとする枝の先端側を少し押え気味に持つ。強く押えると切り口が早く開く。通常は受刃は切刃に対して左側すなわち切取る枝側になる。
以下、実施例によって本発明をさらに具体的に説明する。
【実施例１】
【００２４】
先ず、鋏の二つの柄すなわち親指柄と四本指柄との間でポンプを作動させる鋏を提案する。
図５のように、
（イ）一方の刃（Ｋ）の柄の部分にピストン方式のポンプ装置１１を、ピストン１２の軸中心線が刃支点ピン５を中心とする円弧上の接線方向になるように付設する。
（ロ）ピストン１２ともう一方の刃（Ｕ）の柄の部分を両端がヒンジ構造の連結棒１５で連結する。
（ハ）ポンプ装置１１の排出口（G）と径路７とを接続する。
以上のごとく構成し、握手部の握りと戻しの運動をピストンの往復運動に変換させてポンプ装置１１を連動させ、そのポンプで処理剤等８を切断等と時宜を合わせて切刃側面へ圧送することが可能となるようにした鋏を提案する。
【００２５】
握手部分で行われるところの鋏としての握りと戻しの繰り返し操作、すなわち刃支点ピン５を中心点として扇状に開閉する握手部の運動を、ピストン１２の往復運動に概ね１００パーセント変換できる。握手の戻しの行程で処理剤等８をシリンダ１３内へ引き込んで、握りの行程で処理剤等８を送り出し、一定量の処理剤等８を切刃構成部材の内部に設けた径路７を通じて切刃側面表側の液溜り９へ送る。
【００２６】
粘性体等流動性の悪い処理剤の場合は大きな圧力をかけて送る必要があるが、径路７、ピストン１２、シリンダ１３等を金属やプラスチック等堅牢な材料で作ればそれが可能となる。
【００２７】
通常の場合剪定鋏で我々が樹木の枝や雑草等を切るのは、概ね直径で２０ミリメートル以下である。鋏の柄のデザインや使う人の掌の大きさによっても違いがあるが、だいたい刃支点中心から切っ先へ２０から３５ミリメートル程離れた部分の小刃で切っていることが多い。そこで液溜り９を鋏の用途に合わせてその辺りに設けておく。図４のように切刃１の液溜り９部分が被切断物６の中へ貫入していくときには、左手で枝を強く押し下げて切り口を開かせるようなことをしなければ密閉の状態になり、処理剤等８がポンプの作用で内圧がかかった状態になるため切断面Ｐに処理剤等８が均等な圧力で押し着けられ切断面Ｐの組織の深部まで押し込まれることになる。
【００２８】
またポンプによる処理剤等の供給、加圧と鋏としての切断の作用と切断面への押し付け擦り付け作用が一つの動作で連動しているため、其々の作用の時宜が合い塗布が安定的に確実に行われる効果もある。また、柄を閉じればポンプ装置からの供給が止まるとともに１回の握りでポンプ装置から供給される量が一定であるため塗布量の把握、管理が容易となる。
【００２９】
細い枝を切断しなければならないときや、切断の状況を自分の目で視認できないような使用態様に備えて、図５の例のように切刃または受刃の表側、裏側に液溜り９の位置を指す目印１０を付けておくと良い。
【００３０】
また、高い所に登っての作業でも使えるように処理剤等８を入れた容器１６を小型にして握手部に付設すると更に便利になる。
また、容器を納めておくケース１７を握手部に固定するように設け、ケース１７に納めた収縮性の容器１６の底を容器用スプリング１８等で押すことで、容器１６を圧縮しながら中の処理剤等８を自然にポンプ装置１１へ供給するようにすると処理剤等８がなめらかに安定的にポンプ装置１１から送り出されることになる。
【００３１】
ポンプ装置の前に処理剤等の供給を止めることが出来る弁やコックを設けたり、ピストンと柄の連結部等に鋏としての握り戻し動作とポンプの動作の間に動作の連結に関する接断の機構を設けておけば、作業上の必要に応じて本発明の剪定鋏で単独の剪定作業も可能となり、更に便利なものとなる。
【実施例２】
【００３２】
次に、切り離される側の枝等に対して防腐剤、防乾剤等の処理剤を塗布する剪定鋏の例を説明する。
【００３３】
ポンプの配置及び関連する動作作用は実施例１と同じであるが、ポンプで圧送する処理剤等を図２のように切刃１の切刃裏側側面から出す点が異なる。切刃裏側の液溜り９から処理剤等が吐き出されるので切り取られる枝の切断面に塗布出来る。
【００３４】
この場合は通常切刃１の切刃裏側面が比較的平面的形状であるため切断面と液溜りの間に隙が生じにくく、実施例１よりも処理剤に生じる内圧を高くすることが出来塗布が確実になる傾向がある。
【００３５】
またこの鋏で一度通常のように切断してから、その後で手作業で切った枝や残す枝の切断面をこの液溜り９に擦りつければ同じ効果が期待出来る。また、液溜り９のある側の側面を箆として利用し、いろいろな切断面に処理剤等を塗り付けることが出来る。
【産業上の利用可能性】
【００３６】
本発明の剪定鋏と茎葉処理型の除草剤とを組み合せれば落葉雑かん木、一部の常緑雑かん木の選択的枯殺処理に使用することができ、携帯性が良く効率的で、確実な処理に資する。
【００３７】
庭、公園、街路での樹木、植物の修景作業に利用できるだけでなく、林業家のスギ、ヒノキなどの間伐にも使用できる。樹径の小さい木のときは斜め切りで切断面を大きく取る。樹径が大き過ぎる場合は廻し切りをしながら切り込むことで処理剤を樹幹の外辺部に注入させることが出来る。
【００３８】
またススキ、セイタカアワダチソウなど茎が比較的太い雑草を枯らすときにも同様に使用できる。
葛は雑草のなかでは生命力が強くなかなか絶やすことが困難であるが、市販のグリホサート・アンモニウム塩４１パーセントの処理剤なら１株に１から２ミリリットルほど切り口に着ければ先述の薬効で枯死させることが出来る。濃度を濃くすれば更に少ない量で済ますことも出来る。
【００３９】
応用方法としては桃や梨、林檎、柿などの果樹あるいはカエデ等の庭木や街路樹において、シンクイムシ類やハマキムシ類などの害虫が樹幹や葉、果肉、新梢、樹皮下等に潜り込むのを予防するためにあるいは駆除するために、浸透移行性を持つ防虫剤、殺虫剤等を本発明の鋏で枝の切断面から浸透させる方法も提案出来る。カイガラムシ、ハモグリバエ、ケムシ、アブラムシ、コナジラミ、アザミウマ等樹皮や葉に着いたり樹幹に入り込んだ害虫の退治や予防にも有効である。
さらに葡萄やイチゴ等の無種子化、果粒肥大、熟期促進処理剤との組み合わせも提案できる。
また、切り口から雑菌が入るのを防ぐためにワックスを塗ることもできる。
【００４０】
また切り離される側の枝を対象とする処理としては、接ぎ木用穂木の採取、花卉の採取等で防腐剤、防乾剤、栄養剤等との組み合わせが考えられる。切刃裏側側面は一般的に平面的であるので、接ぎ木の穂木や花卉を採取するときは切り口を荒さず殺菌剤、保湿剤を切り口に塗布することができる。
【００４１】
本発明の応用は剪定鋏に限るものではない。握りと戻しを繰り返しながら切っていく一般的鋏、刈込鋏、盆栽鋏、植木鋏等の園芸鋏、肉を捌く鋏、工作用加工用の鋏等でも応用出来る。作用効果は先述の剪定鋏の例と同様である。また、剪定鋏においても切刃と受刃の左右の位置関係を逆にすることも提案できるものである。枯殺剤等を根元側の枝断面に圧力強く押し付けたい場合は、切刃、受刃を通常の鋏の逆の位置関係にして平面的形状をしている切刃側面裏側から根元側の切断面に吐き出すのがよい。
【図面の簡単な説明】
【００４２】
【図１】切刃表側々面に液溜りを設けた剪定鋏の例。
【図２】切刃裏側々面に液溜りを設けた剪定鋏の例。
【図３】切刃構成部材の断面図。
【図４】本発明の作用を表し、鋏の刃が被切断等物に切り込む際の状況を表す図で、図１における一点鎖線Ａ−Ａの断面図。
【図５】実施例１の説明図であり、切刃構成部材とそれに付設しているポンプ装置および容器等については断面図で表している。
【符号の説明】
【００４３】
１  切刃
２  受刃
３  親指柄
４  四本指柄
５  刃支点ピン
６  被切断物
７  径路
８  処理剤等
９  液溜り
１０  目印
１１  ポンプ装置
１２  ピストン
１３  シリンダ
１４  ボール弁
１５  連結棒
１６  容器
１７  ケース
１８  容器用スプリング
【図１】
2007029103.tif 000003
【図２】
2007029103.tif 000004
【図３】
2007029103.tif 000005
【図４】
2007029103.tif 000006
【図５】
2007029103.tif 000007
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
切刃構成部材の内部に柄やミネの部分から切刃側面に通じる径路を設けて、径路の柄やミネ側の口から処理剤等を供給し、切刃の内部から処理剤等を吐き出すことを特徴とする鋏において、切刃側面や切刃側面に設ける液溜りの底面の形状を凹凸状にした鋏。